(57)【要約】【課題】  超音波センサによって人検知を行い、表示装置の焼き付き軽減機能を自動的に実行させる際に、スピーカ等から発する音声による誤検知を軽減する。【解決手段】  焼き付き軽減フラグ２０６のオフと、人検知時間を加算するKoffカウンタをリセットして、通常の映像表示が行なわれる。  次に、誤検知フラグ２０３がオフであれば、超音波センサ１２５の検出値である検出値２０５と予め設定した閾値と比較して、人が居ない状態である閾値以上の値を設定時間（10分）以上保った場合に、焼き付き軽減フラグ２０６がオンされ、自動的に焼き付き軽減表示が実行される。  また、焼き付き軽減表示の状態から通常表示に復帰する際は、誤検知フラグ２０３がオフでかつ、検出値２０５が閾値未満で、設定時間（10秒）以上継続した場合に、通常映像表示になる。【選択図】  図５
2009092937.tif 000002
【特許請求の範囲】
【請求項１】
超音波センサと音声発生装置を具備する表示装置において、超音波センサからの検出値を、音声信号の周波数，出力レベル，音声発生装置の周波数や遅延の特性に応じて検出タイミングを発生する入力音声判定部を有し、所定時間以上人検出されない場合は、自動的に画面焼き付き防止を実行し、所定時間以上人が検出された場合には、画面焼き付き防止をキャンセルする事を特徴とする表示装置。
【請求項２】
前記入力音声判定部にスピーカ特性や設置状態の情報をもつテーブルを参照することを特徴とする請求項１に記載の表示装置。
【発明の詳細な説明】
【技術分野】
【０００１】
本発明は、ＣＲＴ、ＦＥＤ、ＰＤＰ（プラズマディスプレイパネル）、液晶パネル、有機ＥＬパネル等の映像表示パネルの焼き付き現象を緩和する機能を、超音波センサを用いて自動的に行なう表示装置に関するものである。
【背景技術】
【０００２】
ＣＲＴ、ＦＥＤ、ＰＤＰ（プラズマディスプレイパネル）、液晶パネル、有機ＥＬパネル等の映像表示装置では、同一の絵柄を継続的に表示すると固定パターン妨害が発生するという課題があり、焼き付き現象として広く認識されている。
【０００３】
焼き付き現象を軽減(あるいは改善)する方法としては、図１１に示す人感センサ１９４を用いて、映像を見る者がいなくなったと判定したときに、焼き付き現象の防止対策を自動的に実行する方法が提案されている。しかしながら、人感センサ１９４に人との距離を検出する事が可能な、超音波センサを用いた場合に、音声再生による音圧や振動によって誤検知が発生し、正確に人の存在や距離を把握する事が難しかった。
【０００４】
また、超音波センサを用いて音声による誤動作の防止を行なう提案がなされているが、先行技術では検出時に音声をオフするなど、再生される音声に何かしか手を加えてしまう為、音声が聞き取り辛くなるという問題があった。
【０００５】
上記の例として、下記特許文献１及び特許文献２をあげることが出来る。
【特許文献１】特開２００４−３３６６４６号公報
【特許文献２】特開２００５−２１２６３４号公報
【発明の開示】
【発明が解決しようとする課題】
【０００６】
超音波センサによって人検知を行い、表示装置の焼き付き軽減機能を自動的に実行させる際に、スピーカ等から発する音声による誤検知を軽減する。
【課題を解決するための手段】
【０００７】
上記目的を達成するため、請求項１に記載の発明は、入力音声判定部を設けることで、音声による誤検知を低減することを特徴とする。
【０００８】
請求項２に記載の発明は、請求項１に記載の発明において、前記入力音声判定部に閾値を決定するテーブルを設けることで、スピーカ特性や設置場所による検出誤差を低減することを特徴とする。
【発明の効果】
【０００９】
本発明によれば、音声による誤検知を軽減し、焼きつき軽減処置を自動的かつ的確に行なう事が可能になる。
【発明を実施するための最良の形態】
【００１０】
次に、本発明の詳細を実施例の記述に従って説明する。
【００１１】
図３は表示装置及びスピーカ配置について記したものである。
【００１２】
表示装置３０１は、表示パネル、スピーカ３０２、超音波センサ３０４等から構成されている。
【００１３】
サブウーハ３０３は、表示装置３０１のサブウーハ出力端子と電気的に接続されている。
【００１４】
また、本形態では、壁３０５と表示装置３０１の距離はＸ[ｍ]とする。
【００１５】
図５は、本形態の焼き付き軽減処理を自動かつ的確に行なう為の制御フローである。
【００１６】
先ず、焼き付き軽減フラグ２０６のオフと、人検知時間を加算するKoffカウンタをリセットして、通常の映像表示が行なわれる。
【００１７】
次に、誤検知フラグ２０３がオフであれば、超音波センサ１２５の検出値である検出値２０５と予め設定した閾値と比較して、人が居ない状態である閾値以上の値を設定時間（10分）以上保った場合に、焼き付き軽減フラグ２０６がオンされ、自動的に焼き付き軽減表示が実行される。
【００１８】
これにより、映像と一緒に再生される音声や振動によって、人が居ないにもかかわらず人が居ると判断する誤検出を回避して、的確に焼き付き軽減処置に移行する事が可能となる。
【００１９】
また、焼き付き軽減表示の状態から通常表示に復帰する際は、誤検知フラグ２０３がオフでかつ、検出値２０５が閾値未満で、設定時間（10秒）以上継続した場合に、焼き付き軽減フラグ２０６をオフされる。超音波センサ１２５の検出値２０５が閾値未満の場合には人が表示装置の前方に居る状態を示す為、この焼き付き軽減フラグ２０６がオフされたタイミングで通常映像表示に移行することによって、通常映像表示と焼き付き軽減表示の切り替えを、自動で的確に行なう事が可能になる。
【実施例１】
【００２０】
図１は実施例１における表示装置１の構成を示している。
【００２１】
表示装置１は、映像信号処理部１０３、駆動回路１０４、音声信号処理部１１１、入力音声判定部１２０、超音波センサ１２５、焼き付き軽減処理部１２６、表示パネル１３０、スピーカ１３１、サブウーハ１３２を備えている。
【００２２】
表示パネルはＣＲＴ、ＦＥＤ、ＰＤＰ、有機ＥＬ、ＬＣＤなどが用いられる。
【００２３】
音声信号処理部１１１は主に、Ａ／Ｄ、Ｄ／Ａ、入力された音声コーデックに対応した復号化処理、イコライジング(Eq)、フィルタ、ミックス(Mix)及びダウンミックス(Down Mix)、増幅(Amp)等の信号処理を行なう。
【００２４】
音声信号処理部１１１には、ＴＶ放送やＤＶＤ、ゲーム機、ＰＣ等から、アナログ音声信号やデジタル音声信号が入力され、非圧縮のリニアＰＣＭ(Pulse Code Modulation)や、ＡＣ−３(Audio Coding Number 3)、ＤＴＳ(Digital Theater Systems)等の符号化された信号方式がある。
【００２５】
入力される音声信号は、モノラル（1チャンネル）からマルチチャンネル（複数チャンネル）と様々であるが、入力チャンネル数と出力チャンネル数の関係は、ユーザーの好みやスピーカ設置状態等により必ずしも一致しない。
【００２６】
例えば、入力音声信号が「モノラル」の場合、聴取者の正面(C)スピーカのみの出力する場合と、左前方(L)、右前方(R)、正面(C)、サブウーハ(低音出力用)等にミックス(Mix)して出力する場合がある。
【００２７】
逆に、入力音声信号が「マルチチャンネル(5.1ch)」の場合でも、左前方(L)、右前方(R)、サブウーハに出力して、正面(C)、左後方(Ls)、右後方(Rs)には出力しない等、ユーザーの好みや接続スピーカー数に応じてダウンミックス(Down Mix)する場合がある。
【００２８】
その他に、音声信号処理部１１１では、ユーザーの好み等により所定の音量に制御するボリュームコンロールや、左右の音量バランスを調整するバランスコントロール、音質を調整するトーンコントロールや、イコライジング(EQ)等が行なわれる。
【００２９】
スピーカ１３１は、音声信号処理部１１１から各チャンネルごとに伝送された音声信号を、正面(C)，左前方(L)，右前方(R)，左後方(Ls)，右後方(Rs)の各スピーカに信号を入力して音声変換される。
【００３０】
サブウーハ１３２は、音声信号処理部１１１から、サブウーハ用の低音域信号が伝送され、低音域の再生を主に行なう。
【００３１】
超音波センサ１２５は、周期的に超音波を発射して、物体に反射して戻ってくる迄の時間を測定することによって、人と表示装置の距離を検出する。
【００３２】
入力音声判定部１２０は、ユーザ設定、キャリブレーション等により決められた閾値と、音声信号処理部１１１で処理された音声信号と比較して、誤検知フラグの出力を行なう。
【００３３】
焼き付き軽減処理部１２６は、入力音声判定部１２０の誤検知フラグと超音波センサ１２５の検出結果によって、所定の焼き付き軽減表示を自動的に行なう。所定の焼き付き軽減表示とは、コントラストやブライトネスや色ゲインの低下、全面黒表示、スクリーンセーバ表示、駆動回路のオフなどである。
【００３４】
図２は、実施例において、音声信号から超音波センサによる人の誤検知をキャンセルする為の焼き付き軽減フラグ２０６について説明する図である。
【００３５】
図２の検出値２０５は、壁を検知している状態で、検出距離設定値内に人等の他の物体は存在しない。図３に示す壁３０５と表示装置の距離はＸ[ｍ]で、人検出距離設定値として予め設定してある。
【００３６】
音声信号処理波形２０２は、入力音声信号波形２０１を音声信号処理部１１１で信号処理した波形である。
【００３７】
誤検知フラグ２０３は、予め設定された音圧レベルから音声信号処理波形２０２が外れた場合に出力されるフラグ波形である。
【００３８】
検出値２０５は、超音波センサ１２５の出力値でＸ[ｍ]後方の壁との距離を検出している状態で、Ａ地点２０７まではスピーカ１３１やサブウーハ１３２による音声出力の影響を受けて誤検知している。また、Ａ地点２０７以降はＸ[ｍ]後方の壁３０５と表示装置の距離を検出している為、人が居ないと判定することができる。
【００３９】
タイマー２０４は、検出値２０５が予め設定された検出距離設定値以上でかつ、誤検知フラグ２０３が下がった状態のみカウントを開始し、その状態が設定時間(10分)保持されたタイミングで信号がオフする。なお、この設定時間は任意に変更しても構わない。
【００４０】
焼き付き軽減フラグ２０６は、タイマー２０４がオフになるＢ地点２０８でオンになる。
【００４１】
図４は、音声信号処理部１１１で行なうミックス処理部分の一例で、入力チャンネル数と出力チャンネル数が異なる例を記している。
【実施例２】
【００４２】
図６は実施例２における表示装置２の構成を示している。
【００４３】
表示装置２は、音声映像信号入力切替部６００、チューナー部６０１、映像信号処理部１０３、駆動回路１０４、音声Ａ／Ｄ部６１０、音声信号処理部１１１、プリアンプ部６１２、音声Ｄ／Ａ６１３、メインアンプ６１４、入力音声判定部１２０、焼き付き軽減処理部１２６、表示パネル１３０、スピーカ１３１、サブウーハー１３２から構成される。
【００４４】
音声映像信号入力切替部６００は、地上放送、ＢＳ放送、ＣＳ放送、ＤＶＤ、ビデオ、ゲーム機、カムコーダ、ＰＣやその他から、ユーザーの指示等により１つの音声入力信号と１つ以上の映像入力を選択する事ができる。
【００４５】
また、任意の映像信号と任意の音声信号を複数選択してもよい。
【００４６】
選択された音声入力信号がアナログの場合には、音声Ａ／Ｄ部６１０を介して音声信号処理部１１１に送られ、デジタル音声入力信号の場合には、音声信号処理部１１１に直接に送られる。
【００４７】
また、選択音声入力信号が放送波の場合には、変調された放送波をチューナ部６０１で復調した後、音声ＥＳ(Elementary Stream)、映像ＥＳ、ＥＩＴ（Event Information Table）等に分離(Demux)される。
【００４８】
分離された音声ＥＳは音声信号処理部１１１に送られ、映像ＥＳは映像信号処理部１０３に送られる。
【００４９】
音声信号処理部１１１では主に、入力された音声コーデックに対応した復号化処理を行い、ミックス(Mix)、ダウンミックス(Down Mix)を行なう。
【００５０】
ただし、アナログ音声入力時やＰＣＭ音声入力時に複合化は行なわない。
【００５１】
なお、音声コーデックとは、ＡＣ−３(Audio Coding Number 3)、ＤＴＳ(Digital Theater Systems)、Ｄｏｌｂｙ  Ｄｉｇｉｔａｌ、ＭＰＥＧ等、デジタルＴＶ放送やＤＶＤ、ゲーム等で使われるものを指している。
【００５２】
プリアンプ部６１２は、所定の音量を制御するボリュームコンロール、左右の音量バランスを調整するバランスコントロール、音質を調整するトーンコントロール等が行なわれ、音声Ｄ／Ａ部６１３と入力音声判定部１２０に送られる。
【００５３】
音声Ｄ／Ａ部６１３では、ＰＣＭ(Pulse Code Modulation)、ＰＷＭ(Pulse Width Modulation)、ＰＤＭ(Product Data Management)等のデジタル非圧縮音声信号からアナログ音声信号に変換して、メインアンプ６１４やサブウーハー１３２に送られる。
【００５４】
メインアンプ６１４では前記入力された音声信号を増幅し、スピーカ１３１に送られる。
【００５５】
スピーカ１３１は、前記メインアンプから送られてきた電気信号が、Ｌ，Ｒ，Ｃ，Ｌｓ，Ｒｓ等の各スピーカで音声に変換する。
【００５６】
サブウーハー１３２では、音声信号処理部１１１でサブウーハー用にミックス(Mix)あるいはダウンミックス(Down Mix)等の処理行なわれ、低音域を中心とする音声再生が行なわれ、低音域の音圧が確保される。
【００５７】
テーブル６２４は、入力音声判定部１２０の閾値テーブルである。テーブル６２４は、図７や図８で示すテーブルがユーザー設定等で予め設定されてる。
【００５８】
また、図９で示すスピーカ特性を用い、ホワイトノイズ又はピンクノイズを再生されてキャリブレーションを行い、図１０で示す閾値テーブルを自動的に作成しても良い。
【図面の簡単な説明】
【００５９】
【図１】実施例１のブロック図である。
【図２】実施例１、実施例２の焼き付き軽減フラグ２０６について説明する図である。
【図３】実施例１、実施例２の表示装置及やスピーカ配置を説明する図である。
【図４】実施例１、実施例２の音声信号処理部１１１で行なうミックス処理部分の一例である。
【図５】実施例１、実施例２の焼き付き軽減処理の制御フローを示す図である。
【図６】実施例２における表示装置２の構成である。
【図７】実施例２の入力音声判定部１２０の閾値テーブルの一例である。
【図８】実施例２の入力音声判定部１２０の閾値テーブルの一例である。
【図９】実施例２のスピーカ特性テーブルの一例である。
【図１０】実施例２の入力音声判定部１２０の閾値テーブルの一例である。
【図１１】従来技術１のブロック図である。
【符号の説明】
【００６０】
１０３  映像信号処理部
１０４  駆動回路
１１１  音声信号処理部
１２０  入力音声判定部
１２５  超音波センサ
１２６  焼き付き軽減処理部
１３０  表示パネル
１３１  スピーカ
１３２  サブウーハ
１９４  人感センサ
２０１  入力音声信号波形
２０２  入力音声処理波形
２０３  誤検知フラグ
２０４  タイマー
２０５  検出値（超音波センサ）
２０６  焼き付き軽減フラグ
６２４  テーブル
【図１】
2009092937.tif 000003
【図２】
2009092937.tif 000004
【図３】
2009092937.tif 000005
【図４】
2009092937.tif 000006
【図５】
2009092937.tif 000007
【図６】
2009092937.tif 000008
【図７】
2009092937.tif 000009
【図８】
2009092937.tif 000010
【図９】
2009092937.tif 000011
【図１０】
2009092937.tif 000012
【図１１】
2009092937.tif 000013